(57)【特許請求の範囲】
【請求項１】
規格が異なる複数の信号を多重化した第１の信号と、前記複数の信号のうちの１つである第２の信号と、前記複数の信号と規格が異なる第３の信号が択一的に受信可能な端子部と、
前記第１の信号と前記第２の信号を内部接続信号に変換する第１の信号変換部と、
前記第２の信号と前記第３の信号を内部接続信号に変換する第２の信号変換部と、
前記端子部からの信号を前記第１の信号変換部と前記第２の信号変換部のいずれに接続するかを切り替えるセレクタと、
前記第１の信号変換部と前記第２の信号変換部のうちの一方の信号変換部で前記第２の信号を前記内部接続信号に変換している場合、前記端子部からの信号を他方の信号変換部に接続するように、前記セレクタを制御する制御部と、
を有することを特徴とする通信装置。
【請求項２】
前記端子部と接続された信号変換部の情報を記憶する記憶手段を有し、
前記制御部は、前記情報に応じて、前記端子部からの信号を、前記第１の信号変換部と前記第２の信号変換部のいずれに接続するかを選択する
ことを特徴とする請求項１に記載の通信装置。
【請求項３】
前記制御部は、前記第１の信号変換部で前記第２の信号を受信した場合、前記端子部からの信号を前記第２の信号変換部に接続するように、前記セレクタを制御し、前記第３の信号を受信可能にする
ことを特徴とする請求項１または２に記載の通信装置。
【請求項４】
前記制御部は、前記第２の信号変換部で前記第２の信号を受信した場合、前記端子部からの信号を前記第１の信号変換部に接続し、さらに、前記第１の信号変換部で前記第２の信号を受信した場合、前記端子部からの信号を前記第２の信号変換部に接続するように、前記セレクタを制御し、前記第３の信号を受信可能にする
ことを特徴とする請求項１または２に記載の通信装置。
【請求項５】
前記制御部は、前記端子部と接続されない信号変換部の動作モードを、通常の動作状態より消費電力が低い状態に設定にする
ことを特徴とする請求項１乃至４のいずれか一項に記載の通信装置。
【請求項６】
前記制御部は、前記端子部と接続されない信号変換部の電源をオフする
ことを特徴とする請求項１乃至４のいずれか一項に記載の通信装置。
【請求項７】
前記第１の信号は、ＨＤＢａｓｅＴ規格の信号であり、
前記第２の信号は、ファストイーサネット規格の信号であり、
前記第３の信号は、ギガビットイーサネット規格の信号である
ことを特徴とする請求項１乃至６のいずれか一項に記載の通信装置。
【請求項８】
請求項１から７のいずれか一項に記載の通信装置と、
映像を表示する表示部とを有することを特徴とする表示装置。
【発明の詳細な説明】
【技術分野】
【０００１】
本発明は、多重化された送信信号を受信可能な通信装置およびこれを備えた表示装置に関するものである。
【背景技術】
【０００２】
映像、音声、イーサネット（登録商標）、シリアル制御信号および電源等、規格が異なる複数の信号を多重化して単一のイーサネット（登録商標）ケーブルで伝送する多重伝送用の規格であるＨＤＢａｓｅＴ（登録商標）を採用した装置が実用化されている。
【０００３】
このＨＤＢａｓｅＴ規格は、ＨＤＢａｓｅＴ機器同士が接続された場合、ＨＤＢａｓｅＴの通信プロトコルで接続され、通信することができる。また、イーサネット（登録商標）機器とＨＤＢａｓｅＴ機器が接続された場合、ＨＤＢａｓｅＴ機器は、イーサネット（登録商標）機器として動作し、イーサネット（登録商標）の通信プロトコルで接続され、通信することができる。（非特許文献１）
【０００４】
また、ＨＤＢａｓｅＴ機器とイーサネット（登録商標）機器、それぞれと接続可能なようにしたプロジェクタが開示されている。（特許文献１）
【先行技術文献】
【特許文献】
【０００５】
【特許文献１】特開２０１４−７１４３６
【非特許文献】
【０００６】
【非特許文献１】ＨＤＢａｓｅＴ  Ａｌｌｉａｎｃｅ、“Ｗｈａｔ  ｉｓ  ＨＤＢａｓｅＴ？”、“Ｅｔｈｅｒｎｅｔ（登録商標）”、［ｏｎｌｉｎｅ］、［平成２７年６月１日検索］、インターネット＜ＵＲＬ：ｈｔｔｐ：／／ｗｗｗ．ｈｄｂａｓｅｔ．ｏｒｇ／ｔｅｃｈｎｏｌｏｇｙ＞
【発明の概要】
【発明が解決しようとする課題】
【０００７】
しかしながら、前述のＨＤＢａｓｅＴ機器とイーサネット（登録商標）機器が接続された場合、その通信速度は、ＨＤＢａｓｅＴが備えるイーサネット（登録商標）機能の通信速度となる。このため、接続されたイーサネット（登録商標）環境が、より高速に通信可能な環境であったとしても、ＨＤＢａｓｅＴが備えるイーサネット（登録商標）機能の通信速度に律速されてしまう。
【０００８】
また、上述の特許文献に開示された従来技術では、ユーザーが誤って、イーサネット（登録商標）機器をＨＤＢａｓｅＴ機器接続端子に接続した場合、同様に、ＨＤＢａｓｅＴが備えるイーサネット（登録商標）機能の通信速度に律速されてしまう。
【０００９】
そこで、本発明の目的は、ＨＤＢａｓｅＴのような多重化信号送受信機器が、多重化信号のうち１つの信号に対応する、例えばイーサネット（登録商標）機器と接続された場合、高速に通信可能な通信装置及びこれを備えた表示装置を提供することである。
【課題を解決するための手段】
【００１０】
上記目的を達成するために、本発明は、規格が異なる複数の信号を多重化した第１の信号と、前記複数の信号のうちの１つである第２の信号と、前記複数の信号と規格が異なる第３の信号が択一的に受信可能な端子部と、前記第１の信号と前記第２の信号を内部接続信号に変換する第１の信号変換部と、前記第２の信号と前記第３の信号を内部接続信号に変換する第２の信号変換部と、前記端子部からの信号を前記第１の信号変換部と前記第２の信号変換部のいずれに接続するかを切り替えるセレクタと、前記第１の信号変換部と前記第２の信号変換部のうちの一方の信号変換部で前記第２の信号を前記内部接続信号に変換している場合、前記端子部からの信号を他方の信号変換部に接続するように、前記セレクタを制御する制御部と、を有することを特徴とする。
【発明の効果】
【００１１】
本発明によれば、多重化信号送受信機器が、多重化信号のうち１つの信号に対応する機器と接続された場合、多重化信号のうち１つの信号に対応した際の通信速度仕様より、高速に通信可能な通信装置およびこれを備えた表示装置を提供することができる。
【図面の簡単な説明】
【００１２】
【図１】本発明の実施例１の通信装置を含むプロジェクタの概略構成図
【図２】実施例１におけるフローチャート
【図３】本発明の実施例２の通信装置を含むプロジェクタの概略構成図
【図４】実施例２におけるフローチャート
【発明を実施するための形態】
【００１３】
以下に、本発明の好ましい実施の形態を、添付の図面に基づいて詳細に説明する。
【実施例１】
【００１４】
図１は、本発明の実施例１である通信装置を含む表示装置としてのプロジェクタの概略構成を示している。
【００１５】
端子部１０２は、８極８芯モジュラコネクタ等であり、イーサネット（登録商標）ケーブルが接続される。外部の送信装置から送信されるＨＤＢａｓｅＴ規格の信号（第１の信号）、ファストイーサネット規格の信号（第２の信号）、ギガビットイーサネット規格の信号（第３の信号）を受信信号として択一的に受信可能である。
【００１６】
受信した信号は、第１のセレクタ１０３へ出力される。第１のセレクタ１０３は、制御部１０７からの制御信号に基づき、受信した信号をイーサネット（登録商標）−ＰＨＹ１０４、または、ＨＤＢａｓｅＴ−Ｒｘ１０５へ出力する。
【００１７】
イーサネット（登録商標）−ＰＨＹ１０４は、ギガビットイーサネット規格の信号を受信し、フレーム符号化、シリアル／パラレル変換、信号波形変換等の物理層処理を行う。物理層処理により、例えば、ＲＧＭＩＩ（Ｒｅｄｕｃｅｄ  Ｇｉｇａｂｉｔ  Ｍｅｄｉａ  Ｉｎｄｅｐｅｎｄｅｎｔ  Ｉｎｔｅｒｆａｃｅ）信号（内部接続信号）への変換を行う。また、ギガビットイーサネット規格より通信速度の遅いファストイーサネット規格の信号等も受信し、ギガビットイーサネット規格の信号と同様に物理層処理を行い、ＲＧＭＩＩ信号へ変換することができる。
【００１８】
ＨＤＢａｓｅＴ−Ｒｘ１０５は、ＨＤＢａｓｅＴ規格の信号を受信し、多重化されている映像信号、ファストイーサネット信号等を多重分離する。多重分離された映像信号は映像信号入力部１１０へ出力される。多重分離されたファストイーサネット信号はＨＤＢａｓｅＴ−Ｒｘ１０５で、フレーム符号化、シリアル／パラレル変換、信号波形変換等の物理層処理を行う。物理層処理により、例えば、ＭＩＩ（Ｍｅｄｉａ  Ｉｎｄｅｐｅｎｄｅｎｔ  Ｉｎｔｅｒｆａｃｅ）信号（内部接続信号）に変換される。
【００１９】
また、ＨＤＢａｓｅＴ−Ｒｘ１０５は、ファストイーサネット規格の信号を受信することも可能で、受信した信号は、ＨＤＢａｓｅＴ規格の信号を受信した際の多重分離されたファストイーサネット信号と同様に、ＭＩＩ信号に変換される。
【００２０】
従って、ファストイーサネット規格の信号は、イーサネット（登録商標）−ＰＨＹ１０４、ＨＤＢａｓｅＴ−Ｒｘ１０５のいずれにおいても、受信することができる。
【００２１】
本実施例では、イーサネット（登録商標）−ＰＨＹ１０４は、ＨＤＢａｓｅＴ−Ｒｘ１０５が備えているイーサネット（登録商標）の通信速度仕様より、高速に通信することが可能となっている。
【００２２】
第２のセレクタ１０６は、制御部１０７からの制御信号に基づき、イーサネット（登録商標）−ＰＨＹ１０４、または、ＨＤＢａｓｅＴ−Ｒｘ１０５で変換された信号を制御部１０７へ接続する。
【００２３】
第１の記憶部１０８は、制御部１０７が実行するプログラム、映像信号処理部１１１で使用する映像処理の調整パラメーター等を記憶する。第１の記憶部は、不揮発性のメモリ等で、これらの内容は電源をオフにしても記憶内容は保持される。
【００２４】
ユーザー操作入力部１０９は、例えば、リモートコントローラーやプロジェクタ本体に設けられた操作ボタンにより、入力されるユーザー操作指令等を、制御部１０７へ出力する。
【００２５】
映像信号入力部１１０は、制御部１０７からの制御信号に基づいて外部からの映像信号や、ＨＤＢａｓｅＴ−Ｒｘ１０５から出力される映像信号を入力し、映像信号処理部１１１、第２の記憶部１１３に映像信号を出力する。
【００２６】
第２の記憶部１１３は、映像信号入力部１１０や映像信号処理部１１１から出力される映像信号等を記憶する。
【００２７】
映像信号処理部１１１は、制御部１０７からの制御信号に基づき、映像信号入力部１１０から入力される映像信号や、第２の記憶部１１３に記憶されている映像信号に所定の映像処理を行う。例えば、映像の明るさやコントラスト、色の濃淡、輪郭強調等の画質調整や画像サイズの拡大、縮小、ＯＳＤ（Ｏｎ  Ｓｃｒｅｅｎ  Ｄｉｓｐｌａｙ）合成処理等を行う。
【００２８】
映像信号出力部１１２は、制御部１０７からの制御信号に基づき、映像信号処理部１１１で処理された映像信号や、第２の記憶部１１３に記憶されている映像信号処理部１１１で処理された映像信号を投射部１０１へ出力する。
【００２９】
投射部１０１は、ランプ１１４、ランプ駆動部１１５、液晶パネル１１６、パネル駆動部１１７、投射レンズ１１８、レンズ駆動部１１９とから構成されている。
【００３０】
ランプ１１４は白色光を出力するランプであり、高圧水銀ランプ等が用いられる。ランプ駆動部１１５は制御部１０７からの制御信号に基づきランプへの駆動電力を制御し、ランプの点灯、消灯等を行う。
【００３１】
ランプ１１４からの白色光は不図示ダイクロイックミラーにより、白色光を緑（以下Ｇと記載）成分光と赤（以下Ｒと記載）成分光、青（以下Ｂと記載）成分光とに分離される。分離されたＧ、Ｒ、Ｂの各成分光は不図示の偏光ビームスプリッターを通り、液晶パネル１１６へ供給される。
【００３２】
パネル駆動部１１７は、制御部１０７からの制御信号と、映像信号出力部１１２から出力される映像信号に基づいて、液晶パネル１１６を駆動するための駆動信号を生成する。
【００３３】
Ｇ、Ｂ、Ｒの成分光は各色毎に存在する液晶パネルにより、液晶パネル駆動部１１７からの各色毎の駆動信号に応じて偏光が制御される。液晶パネルからの光は、再度、偏光ビームスプリッターに戻り、偏光状態により投射光として不図示のＸプリズムへ供給される光と、ランプ方向へ戻る光とに分離される。Ｘプリズムは、それぞれのＧ、Ｒ、Ｂ成分光を合成し合成光として投射レンズ１１８に供給する。
【００３４】
レンズ駆動部１１９は、制御部１０７からの制御信号に基づき投射レンズのフォーカス、ズーム倍率等を調整する。投射レンズ１１８は、供給された合成光を任意の倍率でスクリーン１２０へ投射し映像を表示する。
【００３５】
次に、図２のフローチャートを用いて、本実施例の制御部１０７の動作を説明する。
【００３６】
ステップ２０１は、ＨＤＢａｓｅＴ−Ｒｘ１０５を選択するステップで、端子部１０２で受信した信号が、ＨＤＢａｓｅＴ−Ｒｘ１０５に接続されるように、第１のセレクタ１０３を制御する。合わせて、ＨＤＢａｓｅＴ−Ｒｘ１０５と制御部１０７が接続されるように、第２のセレクタ１０６を制御する。
【００３７】
ステップ２０２は、制御部１０７から、ＨＤＢａｓｅＴ−Ｒｘ１０５へ通信状態を確認するコマンドを発行し、ＨＤＢａｓｅＴ−Ｒｘ１０５が受信している信号を確認する。
【００３８】
ＨＤＢａｓｅＴ−Ｒｘ１０５がＨＤＢａｓｅＴ規格の信号を受信しており、リンクが確立されていると確認した場合、その接続されている通信環境は、ＨＤＢａｓｅＴの通信環境と判定できる。従って、ＨＤＢａｓｅＴ−Ｒｘ１０５の接続を維持し、ステップ２０３へ遷移する。
【００３９】
一方、ＨＤＢａｓｅＴ−Ｒｘ１０５がファストイーサネット規格の信号を受信しており、リンクが確立されていると確認した場合、その接続されている通信環境は、イーサネット（登録商標）の通信環境と判定できる。この場合、ステップ２０４へ遷移し、イーサネット（登録商標）−ＰＨＹ１０４に切り替える。
【００４０】
また、通信信号が受信できず、リンクが確立されていないと確認した場合、再度、ＨＤＢａｓｅＴ−Ｒｘ１０５の通信状態を確認する。
【００４１】
ステップ２０３は、現在、使用しないイーサネット（登録商標）−ＰＨＹ１０４の設定を変更する。イーサネット（登録商標）−ＰＨＹには、間欠動作する等で、通常の動作状態よりも消費電力が低い状態で動作するモードが用意されている。そこで、イーサネット（登録商標）−ＰＨＹ１０４の設定を、低消費電力モードに設定することで、消費電力を抑制することができる。また、イーサネット（登録商標）−ＰＨＹ１０４に消費電力を低減するモードがない場合、電源をオフしてもよい。
【００４２】
ステップ２０４は、イーサネット（登録商標）−ＰＨＹ１０４を選択するステップで、端子部１０２で受信した信号が、イーサネット（登録商標）−ＰＨＹ１０４に接続されるように、第１のセレクタ１０３を制御する。合わせて、イーサネット（登録商標）−ＰＨＹ１０４と制御部１０７が接続されるように、第２のセレクタ１０６を制御する。
【００４３】
このステップ２０４へ遷移した場合、ＨＤＢａｓｅＴ−Ｒｘ１０５がファストイーサネット規格の信号を受信し、リンクが確立されていたが、イーサネット（登録商標）−ＰＨＹ１０４に切り替えることになる。イーサネット（登録商標）規格では、リンクを確立する際、ファストリンクパルスと呼ばれる自動認識用の信号を送出し、お互いの通信速度や方式を教えあって速度を決定している。また、自動認識に対応していない場合でも、自動認識に対応していない機器が出す特有の信号を受信して相手の速度に合わせるようになっている。
【００４４】
従って、イーサネット（登録商標）−ＰＨＹ１０４に切り替えることで、一旦、リンクは切断されることになるが、再度、リンクを確立する際、接続されている通信環境がギガビットイーサネット規格であると、ギガビットイーサネット規格で通信することが可能となる。
【００４５】
ステップ２０５は、現在、使用しないＨＤＢａｓｅＴ−Ｒｘ１０５の設定を変更する。ＨＤＢａｓｅＴ−Ｒｘ１０５は、機能を制限する等で、消費電力を低減するモードが用意されている。そこで、ＨＤＢａｓｅＴ−Ｒｘ１０５の設定を、消費電力が低いモードに設定することで、消費電力を抑制することができる。また、ＨＤＢａｓｅＴ−Ｒｘ１０５の電源をオフすることで、消費電力を抑制してもよい。
【００４６】
以上説明したように本実施例によれば、ＨＤＢａｓｅＴ−Ｒｘ１０５でファストイーサネット規格の信号を受信している場合、他方のイーサネット（登録商標）−ＰＨＹ１０４に切り替えるようにしている。従って、プロジェクタ（通信装置）は、イーサネット（登録商標）機器と接続された場合、イーサネット（登録商標）−ＰＨＹ１０４を選択することで、ＨＤＢａｓｅＴが備えるイーサネット（登録商標）速度仕様より、高速に通信することが可能となる。
【００４７】
また、ＨＤＢａｓｅＴ機器と接続された場合、ＨＤＢａｓｅＴ−Ｒｘ１０５を選択することで、ＨＤＢａｓｅＴ規格の信号を受信することができる。
【実施例２】
【００４８】
図３は、本発明の実施例２である通信装置を含む表示装置としてのプロジェクタの概略構成を示している。実施例１との相違点は、第２のセレクタ１０６を削除した点である。また、実施例１と同じ符号の説明は省略する。
【００４９】
制御部１０７は、イーサネット（登録商標）−ＰＨＹ１０４とＨＤＢａｓｅＴ−Ｒｘ１０５、それぞれの内部接続信号を、セレクタを用いず接続可能である。制御部１０７の内部接続信号接続部は、イーサネット（登録商標）−ＰＨＹ１０４とＨＤＢａｓｅＴ−Ｒｘ１０５からの内部接続信号が、一部の信号を共通、一部の信号を専用とし、接続されている。制御部１０７は、使用しない信号変換部の出力をハイインピーダンスに設定することで、使用する信号変換部からの内部接続信号を制御部１０７に接続することができる。
【００５０】
第１の記憶部１０８は、制御部１０７が実行するプログラム、映像信号処理部１１１で使用する映像処理の調整パラメーター等に加え、過去にイーサネット（登録商標）−ＰＨＹ１０４、または、ＨＤＢａｓｅＴ−Ｒｘ１０５が接続されていたか否かの接続履歴情報を記憶する。
【００５１】
次に図４のフローチャートを用いて、本実施例の制御部の動作を説明する。実施例１との相違点は、ステップ２０６からステップ２１１が付加された点である。また、実施例１と同じステップ番号の説明は省略する。
【００５２】
ステップ２０６は、過去の接続履歴が保存されているかを確認するステップで、第１の記憶部１０８に接続履歴情報が記憶されている場合、ステップ２０７へ遷移し、初期状態等、接続履歴情報が記憶されていない場合、ステップ２０１へ遷移する。
【００５３】
ステップ２０７は、過去の接続履歴情報から、最初に接続する信号変換部を決定するステップである。イーサネット（登録商標）−ＰＨＹ１０４が接続されていた場合は、ステップ２０８へ遷移し、ＨＤＢａｓｅＴ−Ｒｘ１０５が接続されていた場合は、ステップ２０１へ遷移する。
【００５４】
ステップ２０８は、イーサネット（登録商標）−ＰＨＹ１０４を接続するステップで、ステップ２０４と同様に、第１のセレクタ１０３を制御し、ＨＤＢａｓｅＴ−Ｒｘ１０５の出力設定を変更することで、イーサネット（登録商標）−ＰＨＹ１０４を接続する。
【００５５】
ステップ２０９は、制御部１０７から、イーサネット（登録商標）−ＰＨＹ１０４へ通信状態を確認するコマンドを発行し、イーサネット（登録商標）−ＰＨＹ１０４が受信している信号を確認する。
【００５６】
イーサネット（登録商標）−ＰＨＹ１０４がギガビットイーサネット規格の信号を受信しており、リンクが確立していると確認した場合、その接続されている通信環境は、ギガビットイーサネットの通信環境と判定できる。従って、イーサネット（登録商標）−ＰＨＹ１０４の接続を維持し、ステップ２１１へ遷移する。
【００５７】
一方、イーサネット（登録商標）−ＰＨＹ１０４がファストイーサネット規格の信号を受信しており、リンクが確立されていると確認した場合、その接続されている通信環境は、ＨＤＢａｓｅＴ送信装置がイーサネット（登録商標）機器として動作している可能性がある。従って、この場合、ステップ２０１へ遷移し、ＨＤＢａｓｅＴ−Ｒｘ１０５に切り替える。
【００５８】
ステップ２０９からステップ２０１へ遷移すると、イーサネット（登録商標）−ＰＨＹ１０４がファストイーサネット規格の信号を受信し、リンクが確立されていたが、ＨＤＢａｓｅＴ−Ｒｘ１０５に切り替えることになる。ＨＤＢａｓｅＴ規格では、リンクを確立する際、接続された機器がＨＤＢａｓｅＴ規格に対応しているか否かを判別している。
【００５９】
従って、一旦、リンクは切断されることになるが、再度、リンクを確立する際、接続されている通信環境がＨＤＢａｓｅＴ規格であると、ＨＤＢａｓｅＴ規格で通信することが可能となる。
【００６０】
また、通信信号が受信できず、リンクが確立されていないと確認した場合、再度、ＨＤＢａｓｅＴ−Ｒｘ１０５の通信状態を確認する。
【００６１】
ステップ２１０は、接続されている状態を保存するステップで、第１の記憶部１０８に「ＨＤＢａｓｅＴ−Ｒｘ１０５で接続されていた」情報を保存する。
【００６２】
ステップ２１１は、ステップ２１０と同様に接続されている状態を保存するステップで、第１の記憶部１０８に「イーサネット（登録商標）−ＰＨＹ１０４で接続されていた」情報を保存する。
【００６３】
以上説明したように、本実施例によれば、過去の接続履歴情報から、初めにイーサネット（登録商標）−ＰＨＹ１０４が接続され、ファストイーサネット規格の信号を受信している場合、他方のＨＤＢａｓｅＴ−Ｒｘ１０５に切り替えるようにしている。従って、プロジェクタ（通信装置）は、ＨＤＢａｓｅＴ機器と接続された場合、ＨＤＢａｓｅＴ規格の信号を受信することができる。
【００６４】
また、過去の接続履歴等から、ＨＤＢａｓｅＴ−Ｒｘ１０５が接続され、ファストイーサネット規格の信号を受信している場合、他方のイーサネット（登録商標）−ＰＨＹ１０４に切り替えるようにしている。従って、プロジェクタ（通信装置）は、イーサネット（登録商標）機器と接続された場合、イーサネット（登録商標）−ＰＨＹ１０４を接続することで、ＨＤＢａｓｅＴが備えるイーサネット（登録商標）速度仕様より、高速に通信することが可能となる。
【００６５】
以上、本発明の好ましい実施形態について説明したが、本発明はこれらの実施形態に限定されず、その要旨の範囲内で種々の変形及び変更が可能である。
【００６６】
ここではプロジェクタを一例として説明したが、ＨＤＢａｓｅＴ−Ｒｘ１０５が搭載されている表示部を有する表示装置であれば、プロジェクタ固有の投射部１０１を除いては、同様な構成を適用することができる。
【００６７】
また、例えば、使用しない信号変換部の動作モードを変更したが、消費電力を考慮しなくてもよい場合は、動作モードの変更や、電源のオフ、を行わなくてもよい。
【００６８】
また、制御部は２つの信号変換部からの信号を受信可能な構成とし、制御部の中で、信号を選択してもよい。
【００６９】
また、実施例２では、前回、選択された信号変換部を選択するように決定したが、選択履歴を積算するように保存し、多く選択されていた信号変換部を優先して選択しても良い。
【符号の説明】
【００７０】
１０１  投射部
１０２  端子部
１０３  第１のセレクタ
１０４  イーサネット（登録商標）−ＰＨＹ
１０５  ＨＤＢａｓｅＴ−Ｒｘ
１０６  第２のセレクタ
１０７  制御部
１０８  第１の記憶部
１０９  ユーザー操作入力部
１１０  映像信号入力部
１１１  映像信号処理部
１１２  映像信号出力部
１１３  第２の記憶部
【図１】
0006516591.tif 000002
【図２】
0006516591.tif 000003
【図３】
0006516591.tif 000004
【図４】
0006516591.tif 000005